(57)【要約】【課題】シートポストの前方に転回して装着した自転車用キャリアに積載した荷物が、前傾して自転車を運転する運転者の胸部に触れることなく快適に自転車を運転することができる自転車用キャリアを提供する。【解決手段】自転車用キャリアは、シートポストクランプ１と、支持竿２と、支持竿クランプ３と、左右一対のステー４と、積載部５とを備え、支持竿クランプ３を支持竿２の軸線方向にスライドさせて積載部５を適宜の角度で固定可能とすることを特徴とする自転車用キャリア。【選択図】図１
2018161911.tif 000002
【特許請求の範囲】
【請求項１】
自転車のシートポストに装着される自転車用キャリアであって、前記自転車用キャリアは、サドルが装着される前記シートポストを抱くようにして回転自在に取り付けられ、適宜の位置で固定及び固定解除が可能なシートポストクランプと、前記シートポストクランプから後方に向かって延びる支持竿と、前記支持竿の軸線方向にスライド可能に取り付けられ、適宜の位置で固定及び固定解除が可能な支持竿クランプと、左右一対のステーと、積載部とを備え、前記支持竿クランプの後端部の左右両側と左右一対の前記ステーの前端部とはそれぞれ前後方向に回転自在に接続され、左右一対の前記ステーの後端部と前記積載部の前側下面とはそれぞれ前後方向に回転自在に接続され、前記支持竿の後端部の左右両側と前記積載部の後側下面とは前後方向に回転自在に接続され、前記シートポストの後方に、前記積載部と前記サドルの座面部が略平行となる前記支持竿の軸線方向に前記支持竿クランプをスライドさせて前記支持竿に固定して装着した前記自転車用キャリアを、前記シートポストを軸心に前記シートポストの前方に転回し、前記積載部が適宜の角度となる前記支持竿の軸線方向に前記支持竿クランプをスライドさせて前記支持竿に固定することにより前記シートポストの前方に転回して装着可能とすることを特徴とする自転車用キャリア。
【発明の詳細な説明】
【技術分野】
【０００１】
本発明は、自転車のシートポストに装着される自転車用キャリアに関する。
【背景技術】
【０００２】
従来、シートポストの後方に装着した自転車用キャリアを、シートポストの前方に転回して装着することが可能な自転車用キャリアとして、キャリア本体と積載部とを備え、キャリア本体は、クランプ部と、クランプ部から後方に向かって延びる中空の支持竿と、支持竿の後端部に伸縮自在に差し込まれる伸縮竿と、左右一対のステーとを備えた自転車用キャリア（特許文献１参照）が知られている。
【先行技術文献】
【特許文献】
【０００３】
【特許文献１】特許６０４３０１４号公報
【発明の概要】
【発明が解決しようとする課題】
【０００４】
しかし、特許文献１に記載の自転車用キャリアは、ハンドルが低い位置に装着されている自転車のシートポストの前方に転回して装着する場合は、自転車用キャリアに積載した荷物が、前傾して自転車を運転する運転者の胸部に触れるため、自転車を快適に運転するための支障になるという問題がある。
【０００５】
本発明は、自転車のシートポストの後方に装着される自転車用キャリアを、自転車のシートポストの前方に転回して荷物を積載した場合であっても、自転車用キャリアに積載した荷物が、前傾して自転車を運転する運転者の胸部に触れることなく、自転車の運転者が自転車を快適に運転することができる自転車用キャリアを提供することにある。
【課題を解決するための手段】
【０００６】
上記課題を解決するための手段として、本発明の自転車のシートポストに装着される自転車用キャリアは、サドルが装着されるシートポストを抱くようにして回転自在に取り付けられ、適宜の位置で固定及び固定解除が可能なシートポストクランプと、シートポストクランプから後方に向かって延びる支持竿と、支持竿の軸線方向にスライド可能に取り付けられ、適宜の位置で固定及び固定解除が可能な支持竿クランプと、左右一対のステーと、積載部とを備え、支持竿クランプの後端部の左右両側と左右一対のステーの前端部とはそれぞれ前後方向に回転自在に接続され、左右一対のステーの後端部と前記積載部の前側下面とはそれぞれ前後方向に回転自在に接続され、支持竿の後端部の左右両側と積載部の後側下面とは前後方向に回転自在に接続され、シートポストの後方に、積載部とサドルの座面部が略平行となる支持竿の軸線方向に支持竿クランプをスライドさせて支持竿に固定して装着した自転車用キャリアを、シートポストを軸心にシートポストの前方に転回し、積載部が適宜の角度となる支持竿の軸線方向に支持竿クランプをスライドさせて支持竿に固定することによりシートポストの前方に転回して装着可能とする。
【発明の効果】
【０００７】
本発明によれば、自転車のシートポストの後方に装着される自転車用キャリアを、自転車のシートポストの前方に転回して荷物を積載した場合であっても、自転車用キャリアに積載した荷物が、前傾して自転車を運転する運転者の胸部に触れない角度となる支持竿の軸線方向に支持竿クランプをスライドさせて積載部を固定することにより、自転車の運転者が自転車を快適に運転することができる。
【図面の簡単な説明】
【０００８】
【図１】本発明の一実施形態としての自転車用キャリアの分解斜視図である。
【図２】図１の自転車用キャリアの組立斜視図である。
【図３】図２の自転車用キャリアをシートポストの後方に装着した状態の側面図である。
【図４】図３の自転車用キャリアをシートポストの前方に転回した状態の側面図である。
【発明を実施するための形態】
【０００９】
以下、本発明の一実施形態を、図１から４に基づいて説明する。
図１は、自転車用キャリアの分解斜視図である。
自転車用キャリアは、サドルが装着されるシートポストを抱くようにして回転自在に取り付けられ、適宜の位置で固定及び固定解除が可能なシートポストクランプ１と、シートポストクランプ１から基端部が斜め後方に向かって延び、中間部で屈曲して後方に向かって略水平に延びる支持竿２と、支持竿２の軸線方向にスライド可能に取り付けられ、適宜の位置で固定及び固定解除が可能な支持竿クランプ３と、左右一対のステー４と、積載部５とを備える。
支持竿クランプ３は、後端部の左右両側に外方に突出するように形成されるステー接続突起６を備え、それぞれの先端部にステー接続ネジ７を固定する接続ネジ固定孔８が形成される。
ステー４は、両端部にステー接続ネジ７を挿通する接続ネジ挿通孔９が形成される。
積載部５は、前側下面の左右両側に支持竿２の左右両側を挟み込むように下方に突出するように形成される左右一対のステー接続突起１０と、後側下面の左右両側に支持竿２の後端部の左右両側を挟み込むように下方に突出するように形成される左右一対の支持竿接続突起１１とを備え、ステー接続突起１０はステー接続ネジ７を固定する接続ネジ固定孔８と、支持竿接続突起１１の一方には支持竿接続ネジ１２を挿通する支持竿接続ネジ挿通孔１３と、支持竿接続突起１１の他方には支持竿接続ネジ１２を固定する支持竿接続ネジ固定孔１４とが形成される。
【００１０】
図２は、図１の自転車用キャリアの組立斜視図である。
支持竿クランプ３は、支持竿２の後端部からに差し込まれて取り付けられ、支持竿クランプ３の後端部の左右両側と左右一対のステー４の前端部との接続は、ステー接続ネジ７がステー４の前端部に形成される接続ネジ挿通孔９に差し込まれ、支持竿クランプ３の後端部のステー接続突起６に形成される接続ネジ固定孔８に固定されてそれぞれ前後方向に回転自在に接続される。
左右一対のステー４の後端部と積載部５の前側下面との接続は、ステー接続ネジ７がステー４の後端部に形成される接続ネジ挿通孔９に差し込まれ、積載部５の前側下面のステー接続突起１０に形成される接続ネジ固定孔８に固定されてそれぞれ前後方向に回転自在に接続される。
支持竿２の後端部の左右両側と積載部５の後側下面との接続は、支持竿接続ネジ１２が積載部５の後側下面の一方の支持竿接続突起１１に形成される支持竿接続ネジ挿通孔１３と支持竿２の後端部に形成される支持竿接続ネジ挿通孔１３とに差し込まれ、他方の支持竿接続突起１１に形成される支持竿接続ネジ固定孔１４に固定されて前後方向に回転自在に接続される。
【００１１】
図３は、図２の自転車用キャリアをシートポスト１５の後方に装着した状態の側面図で、シートポストクランプ１をシートポスト１５の中央付近で締め付けて固定し、積載部５とサドル１６の座面部が略平行となる支持竿２の軸線方向に支持竿クランプ３をスライドさせて支持竿２に固定し、自転車用キャリアをシートポスト１５の後方に装着している。
【００１２】
図４は、図３の自転車用キャリアをシートポスト１５の前方に転回した状態の側面図で、シートポスト１５の中央付近で締め付けて固定したシートポストクランプ１の固定を解除し、シートポスト１５を軸心にシートポスト１５の前方に転回し、支持竿２の屈曲した部分をトップチューブ１７に載置可能な位置までシートポストクランプ１を下げてシートポスト１５に締め付けて固定している。積載部５は、積載部５とサドル１６の座面部が略平行となる支持竿２の軸線方向に支持竿クランプ３をスライドさせて支持竿２に固定し、自転車用キャリアをシートポスト１５の前方に転回して装着している。
【符号の説明】
【００１３】
１  シートポストクランプ
２  支持竿
３  支持竿クランプ
４  ステー
５  積載部
６  ステー接続突起
７  ステー接続ネジ
８  接続ネジ固定孔
９  接続ネジ挿通孔
１０  ステー接続突起
１１  支持竿接続突起
１２  支持竿接続ネジ
１３  支持竿接続ネジ挿通孔
１４  支持竿接続ネジ固定孔
１５  シートポスト
１６  サドル
１７  トップチューブ
【図１】
2018161911.tif 000003
【図２】
2018161911.tif 000004
【図３】
2018161911.tif 000005
【図４】
2018161911.tif 000006